(57)【要約】【課題】光電変換により生成されて蓄積される電荷の量と画像との対応関係が正確になるように、電荷をシフトするタイミングと光源が点灯するタイミングとが設定されるような新規な画像読取装置を実現すること。【解決手段】原稿に光を照射する光源と、前記光源に駆動電圧を印加することで前記光源を点灯させる光源点灯手段と、前記原稿からの前記光の反射光又は透過光を電荷に変換する光電変換手段と、前記電荷を画像信号に変換するために前記電荷を転送する電荷転送手段とを備え、前記原稿に描画された画像を前記画像信号として読み取る画像読取装置であって、前記電荷がシフトされるタイミングを制御するためのシフト制御信号を生成するシフト制御信号生成手段と、前記駆動電圧が印加されるタイミングを制御するための点灯制御信号を生成する点灯制御信号生成手段とを備え、前記点灯制御信号の波形を、前記シフト制御信号の１周期を繰り返し単位として同一波形が繰り返すような波形とする画像読取装置。【選択図】    図４
2004357136.tif 000002
【特許請求の範囲】
【請求項１】
原稿に光を照射する光源と、前記光源に駆動電圧を印加することで前記光源を点灯させる光源点灯手段と、前記原稿からの前記光の反射光又は透過光を電荷に変換する光電変換手段と、前記電荷を画像信号に変換するために前記電荷を転送する電荷転送手段とを備え、前記原稿に描画された画像を前記画像信号として読み取る画像読取装置であって、
前記光電変換手段から前記電荷転送手段に前記電荷がシフトされるタイミングを制御するためのシフト制御信号を生成するシフト制御信号生成手段と、前記光源点灯手段から前記光源に前記駆動電圧が印加されるタイミングを制御するための点灯制御信号を生成する点灯制御信号生成手段とを備え、前記点灯制御信号の波形を、前記シフト制御信号の１周期を繰り返し単位として同一波形が繰り返すような波形とすることを特徴とする画像読取装置。
【請求項２】
前記点灯制御信号は、前記シフト制御信号に基づいて生成されることを特徴とする請求項１に記載の画像読取装置。
【請求項３】
前記シフト制御信号と前記点灯制御信号とはそれぞれ、クロック周波数がｆ／Ｎ（ｆは、前記電荷転送手段により前記電荷が転送されるタイミングを制御するための転送制御信号の１色当たりのクロック周波数とする。Ｎは、前記画像信号を出力するための出力端子の１色当たりの本数とする）の共通のクロック信号に基づいて生成されることを特徴とする請求項１又は２に記載の画像読取装置。
【請求項４】
前記シフト制御信号の有効期間内には、前記点灯制御信号が有効状態にならないように設定されることを特徴とする請求項１乃至３のいずれか１項に記載の画像読取装置。
【請求項５】
前記シフト制御信号の有効期間幅は、前記点灯制御信号のクロック周期以下になるように設定されることを特徴とする請求項１乃至４のいずれか１項に記載の画像読取装置。
【請求項６】
前記シフト制御信号の有効期間開始エッジとその前の最後の前記点灯制御信号の有効期間開始エッジとの時間差は、前記光源点灯手段から前記光源に前記点灯制御信号に応じて前記駆動電圧が印加される際の遅延時間以上になるように設定されることを特徴とする請求項１乃至５のいずれか１項に記載の画像読取装置。
【請求項７】
前記シフト制御信号の有効期間開始エッジとその前の最後の前記点灯制御信号の有効期間開始エッジとの時間差は、モノクロモードにおいてもカラーモードにおいても、前記遅延時間以上になるように設定されることを特徴とする請求項６に記載の画像読取装置。
【発明の詳細な説明】
【０００１】
【発明の属する技術分野】
本発明は、スキャナ、ファクシミリ、コピー機、複合機、融合機等のように、原稿に描画された画像を画像信号として読み取る画像読取装置に関する。
【０００２】
【従来の技術】
原稿に描画された画像を画像信号として読み取る機能を備える機器としては、スキャナ、ファクシミリ、コピー機、複合機、融合機等が挙げられる。これらの機器が原稿に描画された画像を画像信号として読み取る方式としては、原稿に光を照射して、原稿からの反射光や透過光（透過光は、原稿がＯＨＰシートの場合等）を電荷に変換（光電変換）して、電荷を画像信号に変換する方式が一般的である。
【０００３】
【特許文献１】
特開平９−９００７号公報
【０００４】
【発明が解決しようとする課題】
上述の画像読取方式において、光の照射には蛍光管が使用されることが多く、光電変換にはフォトダイオードが使用されることが多い。蛍光管は、点灯装置により点灯されて使用されることが多く、フォトダイオードは、ＣＣＤと共にＣＣＤラインセンサを形成していることが多い。この場合、フォトダイオードにより生成されて蓄積される電荷は、フォトダイオード（転送ゲート）からＣＣＤ（転送レジスタ）にシフトされて、ＣＣＤ（転送レジスタ）により転送されてから、画像信号に変換されることになる。
【０００５】
ここで、電荷をシフトするタイミングと蛍光管が点灯するタイミングとを全く無関係に設定してしまうと、蛍光管の輝度変動が原因で、原稿に照射される光の量がラインごとに変化してしまい、光電変換により生成されて蓄積される電荷の量と画像との対応関係が正確でなくなってしまう。特に、画像読取速度の高速化に伴い電荷をシフトする周期が短くなると、画像にすじが発生してしまう。そのため、特許文献１では、点灯周波数を取込周波数の自然数倍としているが、これでは点灯周波数を取込周波数の自然数倍でしか設定できないこととなり、設定の自由度が制約されてしまう。
【０００６】
したがって、本発明は、光電変換により生成されて蓄積される電荷の量と画像との対応関係が正確になるように、フォトダイオード等からＣＣＤ等に電荷をシフトするタイミングと蛍光管等が点灯するタイミングとが設定されるような新規な画像読取装置を実現することを課題とする。
【０００７】
【課題を解決するための手段】
請求項１に記載の発明（画像読取装置）は、原稿に光を照射する光源と、前記光源に駆動電圧を印加することで前記光源を点灯させる光源点灯手段と、前記原稿からの前記光の反射光又は透過光を電荷に変換する光電変換手段と、前記電荷を画像信号に変換するために前記電荷を転送する電荷転送手段とを備え、前記原稿に描画された画像を前記画像信号として読み取る画像読取装置であって、前記光電変換手段から前記電荷転送手段に前記電荷がシフトされるタイミングを制御するためのシフト制御信号を生成するシフト制御信号生成手段と、前記光源点灯手段から前記光源に前記駆動電圧が印加されるタイミングを制御するための点灯制御信号を生成する点灯制御信号生成手段とを備え、前記点灯制御信号の波形を、前記シフト制御信号の１周期を繰り返し単位として同一波形が繰り返すような波形とする。
【０００８】
請求項２に記載の発明（画像読取装置）は、請求項１に記載の発明（画像読取装置）に関して、前記点灯制御信号は、前記シフト制御信号に基づいて生成される。
【０００９】
請求項３に記載の発明（画像読取装置）は、請求項１又は２に記載の発明（画像読取装置）に関して、前記シフト制御信号と前記点灯制御信号とはそれぞれ、クロック周波数がｆ／Ｎ（ｆは、前記電荷転送手段により前記電荷が転送されるタイミングを制御するための転送制御信号の１色当たりのクロック周波数とする。Ｎは、前記画像信号を出力するための出力端子の１色当たりの本数とする）の共通のクロック信号に基づいて生成される。
【００１０】
請求項４に記載の発明（画像読取装置）は、請求項１乃至３のいずれか１項に記載の発明（画像読取装置）に関して、前記シフト制御信号の有効期間内には、前記点灯制御信号が有効状態にならないように設定される。
【００１１】
請求項５に記載の発明（画像読取装置）は、請求項１乃至４のいずれか１項に記載の発明（画像読取装置）に関して、前記シフト制御信号の有効期間幅は、前記点灯制御信号のクロック周期以下になるように設定される。
【００１２】
請求項６に記載の発明（画像読取装置）は、請求項１乃至５のいずれか１項に記載の発明（画像読取装置）に関して、前記シフト制御信号の有効期間開始エッジとその前の最後の前記点灯制御信号の有効期間開始エッジとの時間差は、前記光源点灯手段から前記光源に前記点灯制御信号に応じて前記駆動電圧が印加される際の遅延時間以上になるように設定される。
【００１３】
請求項７に記載の発明（画像読取装置）は、請求項６に記載の発明（画像読取装置）に関して、前記シフト制御信号の有効期間開始エッジとその前の最後の前記点灯制御信号の有効期間開始エッジとの時間差は、モノクロモードにおいてもカラーモードにおいても、前記遅延時間以上になるように設定される。
【００１４】
【発明の実施の形態】
本発明の実施の形態について説明する。
【００１５】
図１は、本発明の実施の形態の例であるスキャナ１０１を表す。図１のスキャナ１０１は、コンタクトガラス１２１と、圧板１２２と、キセノン蛍光管１３１と、点灯装置１３２と、白基準板１３３と、第１ミラー１３４と、第２ミラー１３５と、第３ミラー１３６と、レンズ１３７と、モータ１３８と、ＣＣＤ基板１４１と、画像処理部１４２と、タイミング生成部１５１により構成されており、原稿１１１に描画された画像を画像信号として読み取ることができる。
【００１６】
コンタクトガラス１２１は、原稿１１１を下向きにセットするための原稿支持体である。圧板１２２は、下向きにセットされた原稿１１１を上方向から抑えるための原稿抑え板である。圧板１２２には、自動原稿搬送装置（ＡＤＦ）が設置されていてもよい。
【００１７】
キセノン蛍光管１３１は、原稿１１１に光を照射する光源である。点灯装置１３２は、直流電圧をパルス電圧に変換して、キセノン蛍光管１３１にパルス電圧（駆動電圧）を印加することで、キセノン蛍光管１３１を点灯させる電源装置であり、インバータとも呼称される。キセノン蛍光管１３１は、コンタクトガラス１２１又は白基準板１３３に対してある角度で読取面を照射する。白基準板１３３は、シェーディング補正時の補正データを得るために主走査方向に設置された均一濃度のほぼ白色の部材である。原稿１１１又は白基準板１３３で反射された光は、第１ミラー１３４、第２ミラー１３５、第３ミラー１３６で反射されて、レンズ１３７によりＣＣＤ基板１４１上に結像される。光源１３１と第１のミラー１３４は第１走行体を、第２ミラー１３５と第３ミラー１３６は第２走行体を形成して、モータ１３８により読取面・ＣＣＤ間距離を一定に保ちながら副走査方向に移動する。
【００１８】
ＣＣＤ基板１４１は、図２のように、フォトダイオード２０１と、転送ゲート２０２と、転送レジスタ２０３と、出力回路２０４と、出力端子２０５により構成されており、ＣＣＤラインセンサとして機能する。モノクロセンサでもカラーセンサでもよいが、ここでは、赤用（Ｒ）のＣＣＤラインセンサ、緑用（Ｇ）のＣＣＤラインセンサ、青用（Ｂ）のＣＣＤラインセンサにより構成されるカラーセンサとした。なお、図２では符号２０１，２０２，２０３，２０４，２０５に添字Ｒ，Ｇ，Ｂを添付して区別した。
【００１９】
ＣＣＤ基板１４１上に結像された光は、フォトダイオード２０１により電荷に変換（光電変換）される。フォトダイオード２０１により生成されて蓄積される電荷は、転送ゲート２０２から転送レジスタ２０３にシフトされて、転送レジスタ２０３により出力回路２０４に転送されて、出力回路２０４により画像信号に変換される。出力回路２０４により生成される画像信号は、出力端子２０５を介して画像処理部１４２に出力される。このようにして、原稿１１１に描画された画像が画像信号として読み取られる。
【００２０】
タイミング生成部１５１は、図３のように、各種のタイミングを制御するための各種の制御信号を生成するタイミング生成回路３０１により構成される。タイミング生成回路３０１には、発振回路（ＯＳＣ）３１１により発振されて、逓倍回路３１２によりクロック周波数が逓倍された、クロック周波数が２００ＭＨｚ程の高周波のクロック信号ＣＫが供給される。タイミング生成回路３０１では、共通のクロック信号ＣＫに基づいて、点灯装置１３２用のクロック信号である点灯クロックＣＫｉｎｖ、ＣＣＤ基板１４１用のクロック信号であるシフトパルスＳＨ、転送パルスφ，／φ、リセットパルスＲＳ、クランプパルスＣＰ、図示しないサンプルホールド回路用のクロック信号、図示しないＡＤ変換回路用のクロック信号等の各種の制御信号が生成される。ＣＣＤ基板１４１用のクロック信号のクロック周波数は２５ＭＨｚ程であるが、その位相やディーティ比を制御する必要性から、クロック信号ＣＫのクロック周波数を２００ＭＨｚ程にしている。
【００２１】
点灯クロックＣＫｉｎｖは、点灯装置１３２からキセノン蛍光管１３１に駆動電圧が印加されるタイミングを制御するための制御信号であり、図３のように、タイミング生成回路３０１から点灯装置１３２に供給される。点灯装置１３２からキセノン蛍光管１３１には、点灯クロックＣＫｉｎｖに応じて駆動電圧が印加されるが、点灯装置１３２内での遅延時間Ｔｄが原因で、点灯クロックＣＫｉｎｖの立ち上がりエッジ（有効期間開始エッジ）から遅延時間Ｔｄ後に駆動電圧が印加されることになる。キセノン蛍光管１３１は、図４のように、点灯クロックＣＫｉｎｖの立ち上がりエッジから遅延時間Ｔｄ後に点灯することになる。
【００２２】
点灯装置１３２は、図５のように、電源と、ＧＮＤと、ＣＰＵと、タイミング生成回路３０１と、キセノン蛍光管１３１と接続されており、電源からは２４Ｖの直流電圧Ｖｃｃが、ＣＰＵからは点灯許可信号ｃｎｔが、タイミング生成回路３０１からは点灯クロックＣＫｉｎｖが供給される。点灯許可信号ｃｎｔは、Ｈ（Ｈｉｇｈ）のときにはキセノン蛍光管１３１の点灯を許可せず、Ｌ（Ｌｏｗ）のときにはキセノン蛍光管１３１の点灯を許可する信号である。点灯装置１３２は、図６のように、点灯許可信号ｃｎｔがＨのときは、点灯クロックＣＫｉｎｖが供給されても、キセノン蛍光管１３１に駆動電圧を印加しない。したがって、Ｈの点灯許可信号ｃｎｔと点灯クロックＣＫｉｎｖとを継続的に点灯装置１３２に供給しておき、画像読取処理が実行されるときに、Ｌの点灯許可信号ｃｎｔを点灯装置１３２に供給するようにすれば、キセノン蛍光管１３１のＯＮ／ＯＦＦ制御が容易に実現される。
【００２３】
シフトパルスＳＨは、ＣＣＤ基板１４１の転送ゲート２０２から転送レジスタ２０３に電荷がシフトされるタイミングを制御するための制御信号であり、図３のように、ドライバ３１３を介して、タイミング生成回路３０１から転送ゲート２０２に供給される。転送パルスφ，／φは、ＣＣＤ基板１４１の転送レジスタ２０３により電荷が転送されるタイミングを制御するための制御信号であり、図３のように、ドライバ３１３を介して、タイミング生成回路３０１から転送レジスタ２０３に供給される。シフトパルスＳＨ、転送パルスφ，／φ、リセットパルスＲＳ、クランプパルスＣＰ等の波形は、図４のようになる。
【００２４】
シフトパルスＳＨは、図４のように、パルス幅Ｔｓｈとパルス周期Ｔｉｎｔが一定のパルス信号である。フォトダイオード２０１により生成されて蓄積される電荷は、シフトパルスＳＨが立ち上がっている間（有効期間内）に、転送ゲート２０２から転送レジスタ２０３にシフトされる。定量的に言うと、パルス周期Ｔｉｎｔの間（蓄積時間内）に生成されて蓄積される１ライン分の電荷が、パルス幅Ｔｓｈの間（有効期間内）にシフトされる。
【００２５】
このように、図１のスキャナ１０１では、電荷をシフトするタイミングはシフトパルスＳＨにより規定されて、キセノン蛍光管１３１が点灯するタイミングは点灯クロックＣＫｉｎｖにより規定される。そのため、シフトパルスＳＨと点灯クロックＣＫｉｎｖとを全く無関係に設定してしまうと、キセノン蛍光管１３１の輝度変動が原因で、原稿１１１に照射される光の量がラインごとに変化してしまい、光電変換により生成されて蓄積される電荷の量と画像との対応関係が正確でなくなってしまう。具体例を挙げると、図７において、ケース１とケース２のシフトパルスＳＨは、蓄積時間Ｔｉｎｔが同じなのに、原稿１１１に照射される光の量が異なってしまっている。そのため、図１のスキャナ１０１では、シフトパルスＳＨと点灯クロックＣＫｉｎｖとを、以下のように設定している。
【００２６】
点灯クロックＣＫｉｎｖは、図４のように、シフトパルスＳＨが立ち上がっている間（有効期間内）には立ち下がっていて、シフトパルスＳＨの立ち下がりエッジ（有効期間終了エッジ）から一定時間Ｔ１後に立ち上がり、以後、シフトパルスＳＨの次の立ち上がりエッジ（有効期間開始エッジ）まで一定クロック周期Ｔｉｎｖで立ち下がりと立ち上がりとを繰り返すように設定されている。これにより、点灯クロックＣＫｉｎｖの波形は、シフトパルスＳＨの１周期Ｔｉｎｔを繰り返し単位として同一波形が繰り返すような波形となっている。これにより、原稿１１１に照射される光の量がどのラインも同一になり、光電変換により生成されて蓄積される電荷の量と画像との対応関係が正確になる。
【００２７】
点灯クロックＣＫｉｎｖは、タイミング生成回路３０１において、図８のように、クロック信号ＣＫと、シフトパルスＳＨと、初期値信号Ｉに基づいて、カウンタ８０１と、第１Ｄフリップフロップ８０２と、第２Ｄフリップフロップ８０３と、ＸＯＲ回路８１１と、ＮＯＴ回路８１２により生成される。
【００２８】
カウンタ８０１のＣＬＫにはクロック信号ＣＫ（図９Ａ）が、カウンタ８０１のＸＬＯＡＤにはシフトパルスＳＨ（図９Ｂ）と自己のＣＡＲＲＹのＸＯＲが、カウンタ８０１のＤＡＴＡには初期値信号Ｉが入力されて、カウンタ８０１のＲＣＯからは図９Ｃの信号が出力される。すなわち、シフトパルスＳＨ又は自己のＣＡＲＲＹの立ち上がり期間内に初期値信号ＩがＬＯＡＤされて、クロック信号ＣＫがカウントされて、図９Ｃの信号が出力される。
【００２９】
第１Ｄフリップフロップ８０２のＣＬＫには図９Ｃの信号が入力されて、第１Ｄフリップフロップ８０２のＱからは図９Ｄの信号が出力される。すなわち、図９Ｃの信号が２分周されて、図９Ｄの信号が出力される。
【００３０】
第２Ｄフリップフロップ８０３のＣＬＫには図９Ｄの信号が入力されて、第２Ｄフリップフロップ８０３のＱからは図９Ｅの信号が出力される。すなわち、図９Ｄの信号が２分周されて、図９Ｅの信号が出力される。
【００３１】
図９Ｅの信号が、点灯クロックＣＫｉｎｖである。図９Ｅの信号は、シフトパルスＳＨが立ち上がっている間には立ち下がっているが、これは、第１Ｄフリップフロップ８０２の／ＣＬＲと第２Ｄフリップフロップ８０３の／ＣＬＲとに、シフトパルスＳＨのＮＯＴが入力されることによるものである。図９Ｅの信号はさらに、シフトパルスＳＨの立ち下がりエッジから一定時間Ｔ１（＝Ｔｉｎｖ／４）後に立ち上がり、以後、シフトパルスＳＨの次の立ち上がりエッジまで一定クロック周期Ｔｉｎｖで立ち下がりと立ち上がりとを繰り返すが、これは、カウンタ８０１が「Ｔｉｎｖ／４」分のクロック信号ＣＫをカウントしてＣＡＲＲＹを出力するように、初期値信号Ｉを設定しておくことによるものである。
【００３２】
なお、図１のスキャナ１０１においては、クロック信号ＣＫのクロック周波数をｆ／Ｎとしている。ただし、ｆは転送パルスφの１色当たりのクロック周波数であり、Ｎは出力端子２０５の１色当たりの本数である。上述したように、シフトパルスＳＨと点灯クロックＣＫｉｎｖとはそれぞれ、この共通のクロック信号ＣＫに基づいて生成される。これにより、回路規模や、シフトパルスＳＨの設定精度や、点灯クロックＣＫｉｎｖの設定精度や、シフトパルスＳＨと点灯クロックＣＫｉｎｖの関係の設定精度が妥当なものとなる。
【００３３】
また、図１のスキャナ１０１においては、上述したように、シフトパルスＳＨが立ち上がっている間には、点灯クロックＣＫｉｎｖが立ち上がらないように設定されている。これにより、画像がさらに安定したものとなる。
【００３４】
また、図１のスキャナ１０１においては、図４のように、シフトパルスＳＨの立ち上がりエッジとその前の最後の点灯クロックＣＫの立ち上がりエッジとの時間差Ｔ２は、遅延時間Ｔｄ以上になるように（すなわち、Ｔ３＝Ｔ２−Ｔｄ≧０となるように）設定されている。これにより、シフトパルスＳＨが立ち上がっている間には、点灯装置１３２からキセノン蛍光管１３１に駆動電圧が印加されないことになり、画像がさらに安定したものとなる。Ｔ２は（Ｔｉｎｔ−Ｔｓｈ−Ｔ１）÷Ｔｉｎｖの余りとなるため、初期値信号Ｉにより制御可能である。
【００３５】
このことに関連して、モノクロモードとカラーモードについて説明する。上述したように、図１のスキャナ１０１のＣＣＤラインセンサはカラーセンサであるが、画像をモノクロ画像信号として読み取る「モノクロモード」と、画像をカラー画像信号として読み取る「カラーモード」が選択可能である。ここで、図１のスキャナ１０１においては、モノクロモードとカラーモードでシフトパルスＳＨのパルス幅Ｔｓｈが異なるのだが、両方のパルス幅Ｔｓｈが考慮されて初期値信号Ｉが設定されていることで、モノクロモードにおいてもカラーモードにおいても、時間差Ｔ２が遅延時間Ｔｄ以上になるように設定されているものとする。
【００３６】
ところで、図１のスキャナ１０１において、シフト信号ＳＨのパルス幅Ｔｓｈを、点灯クロックＣＫｉｎｖのクロック周期Ｔｉｎｖより大きくしてしまうと、図８の回路構成の設定次第では、シフト信号ＳＨが立ち上がっている間に、点灯クロックＣＫｉｎｖが立ち上がってしまう場合がある。この場合、図１０のように、シフトパルスＳＨのパルス幅Ｔｓｈに揺らぎ（ジッター）があると、画像が影響を受けてしまう。そのため、図１のスキャナ１０１においては、シフト信号ＳＨのパルス幅Ｔｓｈは、点灯クロックＣＫｉｎｖのクロック周期Ｔｉｎｖ以下になるように設定するとよい。
【００３７】
最後に、点灯クロックＣＫｉｎｖの変形例について説明する。図１１の点灯クロックＣＫｉｎｖは、ＳＨ信号とＤＳＨ信号が立ち上がっている間には立ち下がっていて、ＳＨ信号の立ち下がりエッジから立ち上がり、以後、ＤＳＨ信号の次の立ち上がりエッジまで一定クロック周期Ｔｉｎｖで立ち下がりと立ち上がりとを繰り返すように設定されている。
【００３８】
ＤＳＨ信号は、ＳＨ信号とパルス周期が同一のパルス信号である。ＳＨ信号とＤＳＨ信号は、立ち上がっている期間が一部重複しており、立ち上がりエッジも立ち下がりエッジもＳＨ信号よりＤＳＨ信号の方が早い。
【００３９】
図１１の点灯クロックＣＫｉｎｖは、タイミング生成回路３０１において、図１２のように、クロック信号ＣＫと、ＳＨ信号（シフトパルスＳＨ）と、ＤＳＨ信号と、初期値信号Ｉに基づいて、カウンタ８０１と、第１Ｄフリップフロップ８０２と、第２Ｄフリップフロップ８０３と、ＸＯＲ回路８１１と、ＮＯＴ回路８１２により生成される。
【００４０】
カウンタ８０１のＣＬＫにはクロック信号ＣＫ（図１３Ａ）が、カウンタ８０１のＸＬＯＡＤにはＳＨ信号（図１３Ｂ１）とＤＳＨ信号（図１３Ｂ２）と自己のＣＡＲＲＹのＸＯＲが、カウンタ８０１のＤＡＴＡには初期値信号Ｉが入力されて、カウンタ８０１のＲＣＯからは図１３Ｃの信号が出力される。
【００４１】
第１Ｄフリップフロップ８０２のＣＬＫには図１３Ｃの信号とＳＨ信号のＮＯＴのＯＲが入力されて、第１Ｄフリップフロップ８０２のＱからは図１３Ｄの信号が出力される。
【００４２】
第２Ｄフリップフロップ８０３のＣＬＫには図１３Ｄの信号が入力されて、第２Ｄフリップフロップ８０３のＱからは図１３Ｅの信号が出力される。
【００４３】
図１３Ｅの信号が、図１１の点灯クロックＣＫｉｎｖである。図１３Ｅの信号は、ＤＳＨ信号が立ち上がっている間には立ち下がっているが、これは、第１Ｄフリップフロップ８０２の／ＣＬＲと第２Ｄフリップフロップ８０３の／ＣＬＲとに、ＤＳＨ信号のＮＯＴが入力されることによるものである。図１３Ｅの信号はさらに、ＳＨ信号の立ち下がりエッジから立ち上がり、以後、ＤＳＨ信号の次の立ち上がりエッジまで一定クロック周期Ｔｉｎｖで立ち下がりと立ち上がりとを繰り返すが、これは、カウンタ８０１が「Ｔｉｎｖ／４」分のクロック信号ＣＫをカウントしてＣＡＲＲＹを出力するように、初期値信号Ｉを設定しておくことによるものである。
【００４４】
なお、当該変形例においては、図１１のように、ＤＳＨ信号の立ち上がりエッジとその前の最後の点灯クロックＣＫの立ち上がりエッジとの時間差は、遅延時間Ｔｄ以上になるように設定されている。
【００４５】
【発明の効果】
このように、本発明は、光電変換により生成されて蓄積される電荷の量と画像との対応関係が正確になるように、フォトダイオード等からＣＣＤ等に電荷をシフトするタイミングと蛍光管等が点灯するタイミングとが設定されるような新規な画像読取装置を実現するものである。
【図面の簡単な説明】
【図１】本発明の実施の形態の例であるスキャナを表す。
【図２】図１のＣＣＤ基板について説明するための図である。
【図３】図１のタイミング生成部について説明するための図である。
【図４】各種の制御信号に係るタイミングチャートである。
【図５】図１の点灯装置について説明するための図である。
【図６】点灯許可信号と点灯クロックに係るタイミングチャートである。
【図７】キセノン蛍光管の輝度変動に関連する説明のための図である。
【図８】点灯クロックＣＫｉｎｖの生成過程に係る回路図である。
【図９】点灯クロックＣＫｉｎｖの生成過程に係る波形図である。
【図１０】キセノン蛍光管の輝度変動に関連する説明のための図である。
【図１１】各種の制御信号に係るタイミングチャート（変形例）である。
【図１２】点灯クロックＣＫｉｎｖの生成過程に係る回路図（変形例）である。
【図１３】点灯クロックＣＫｉｎｖの生成過程に係る波形図（変形例）である。
【符号の説明】
１０１  スキャナ
１１１  原稿
１２１  コンタクトガラス
１２２  圧板
１３１  キセノン蛍光管
１３２  点灯装置
１３３  白基準板
１３４  第１ミラー
１３５  第２ミラー
１３６  第３ミラー
１３７  レンズ
１３８  モータ
１４１  ＣＣＤ基板
１４２  画像処理部
１５１  タイミング生成部
２０１  フォトダイオード
２０２  転送ゲート
２０３  転送レジスタ
２０４  出力回路
２０５  出力端子
３０１  タイミング生成回路
３１１  発振回路
３１２  逓倍回路
３１３  ドライバ
８０１  カウンタ
８０２  第１Ｄフリップフロップ
８０３  第２Ｄフリップフロップ
８１１  ＸＯＲ回路
８１２  ＮＯＴ回路
【図１】
2004357136.tif 000003
【図２】
2004357136.tif 000004
【図３】
2004357136.tif 000005
【図４】
2004357136.tif 000006
【図５】
2004357136.tif 000007
【図６】
2004357136.tif 000008
【図７】
2004357136.tif 000009
【図８】
2004357136.tif 000010
【図９】
2004357136.tif 000011
【図１０】
2004357136.tif 000012
【図１１】
2004357136.tif 000013
【図１２】
2004357136.tif 000014
【図１３】
2004357136.tif 000015